(57)【特許請求の範囲】
【請求項１】
複数本の電柱が設置された配線区間の始点となる電柱に、高所作業車上で、第１固定器具を用いてケーブルドラムから延びる光ケーブルの先端部を固定するステップと、
前記配線区間の始点から終点に向かう配線経路に沿って一方向に前記ケーブルドラムを移動させながら前記光ケーブルを繰り出し、前記配線経路に沿って前記配線区間の中間電柱ごとに、前記高所作業車上で、手作業または張線器を用いて所定の張力で前記光ケーブルを引張り、弛度を調整しながら、第２固定器具を用いて前記光ケーブルを固定するステップと、
前記配線区間の終点となる電柱に、前記高所作業車上で、前記第１固定器具を用いて前記光ケーブルを固定するステップと、
を含むことを特徴とする架空光ケーブル布設方法。
【発明の詳細な説明】
【技術分野】
【０００１】
本発明は、複数本の電柱間に光ケーブルを架空布設する方法に関する。
【背景技術】
【０００２】
架空光設備の構成は、図３に示すように、地下（マンホール）からの引き上げ点であるき線点５１から、ユーザ宅への引き落としを行う引落点５２までの配線区間５３と、引落点５２からユーザ宅への引落区間５４から成っている。
【０００３】
上記配線区間における光ケーブルの架空布設方法として、例えば、特許文献１には、以下のような方法が開示されている。すなわち、先ず、電柱間に予め張り渡された支持線に金車を取り付け、その金車に牽引ロープを通線する。そして、配線区間始点において地上に設置されたケーブルドラムから引き出された光ケーブルを上記の通線された牽引ロープの一端部に接続し、牽引ロープの他端部は配線区間終点の地上に設置されたウインチに接続し、ウインチにより牽引ロープを介して光ケーブルを牽引して配線区間に引き通す。そして、配線区間の終点となる電柱に光ケーブルの先端部を固定器具で固定する。その後、当該区間の各電柱に作業員が昇柱し、張線器により各電柱で光ケーブルの弛度調整を行い、固定器具で各電柱に固定する方法である。
【先行技術文献】
【特許文献】
【０００４】
【特許文献１】特開平０９−２８９７１４号公報
【発明の概要】
【発明が解決しようとする課題】
【０００５】
しかしながら、上記の方法では、ケーブルドラムの回転調整およびウインチの操作にそれぞれ作業員が必要であり、加えて、金車の取り付け、取り外し、牽引ロープの通線、光ケーブルの弛度調整、および光ケーブルの固定等のために、作業員が配線区間を何度も往復する必要があるため、作業人数が増大し作業時間が長くなるという課題があった。
【０００６】
それゆえ本発明は、作業人数および作業時間を低減可能な架空光ケーブル布設方法を提供することを目的とする。
【課題を解決するための手段】
【０００７】
本発明は、上記課題を解決するためになされたものであり、本発明の架空光ケーブル布設方法は、複数本の電柱が設置された配線区間の始点となる電柱に、高所作業車上で、第１固定器具を用いてケーブルドラムから延びる光ケーブルの先端部を固定するステップと、前記配線区間の始点から終点に向かう配線経路に沿って一方向に前記ケーブルドラムを移動させながら前記光ケーブルを繰り出し、前記配線経路に沿って前記配線区間の中間電柱ごとに、前記高所作業車上で、手作業または張線器を用いて所定の張力で前記光ケーブルを引張り、弛度を調整しながら、第２固定器具を用いて前記光ケーブルを固定するステップと、前記配線区間の終点となる電柱に、前記高所作業車上で、前記第１固定器具を用いて前記光ケーブルを固定するステップとを含むことを特徴とする。
【発明の効果】
【０００８】
本発明によれば、作業人数および作業時間を低減可能な架空光ケーブル布設方法を提供することが可能となる。
【図面の簡単な説明】
【０００９】
【図１】（ａ）、（ｂ）は、本発明の一実施形態に係る架空光ケーブル布設方法を示す図である。
【図２】（ａ）〜（ｄ）は、従来の架空光ケーブル布設方法を示す図である。
【図３】架空光設備の構成の概念図である。
【発明を実施するための形態】
【００１０】
ここで、比較のために従来の架空光ケーブル布設方法の一例について、図面を用いて詳細に説明する。
【００１１】
図２（ａ）〜（ｄ）は、従来の架空光ケーブル布設方法の一例について示す図であり、配線区間１には、配線経路に沿って複数本の電柱3a、3b、3c、3d、3e、3f、3gが間隔をあけて設置されている。
図２（ａ）に示すように、先ず、配線区間１の始点1aとなる電柱3aの近傍に、光ケーブル９を巻き付けたケーブルドラム２５を設置する。光ケーブル９の布設が完了するまで、１名の作業員Ａが光ケーブル９の繰り出しおよびケーブルドラム２５の回転調整を行う。
【００１２】
次いで、光ケーブル９や牽引ロープ31の自重による垂れ下がりを防ぐため、支持線２１に所定の間隔で複数の金車29a,29bを取り付ける。配線区間１の始点1aとなる電柱3aおよび配線経路が湾曲する位置の電柱には4号金車29aを高所作業車１０によって取り付け、電柱間の支持線２１には複数個の移動式金車29bを操作棒３５によって地上から取り付ける。そして、光ケーブル９の先端部に牽引ロープ31の一端部を結び付け、牽引ロープ31の他端部を牽引することにより、光ケーブル９を牽引して、各金車29a,29bに光ケーブル９を通す。
【００１３】
また、別の作業員Ｂが高所作業車１０を移動、設置しながら、光ケーブル９の固定器具３７を各電柱3a、3b、3c、3d、3e、3f、3gに取り付ける。配線区間１の終点１ｂまで光ケーブル９を牽引した後、図２（ｂ）に示すように、終点となる電柱3gに光ケーブル９の先端部を固定器具３７によって固定する。
【００１４】
次に、図２（ｃ）に示すように、配線区間１の始点1aにおいて、作業員Ｂが張線器を用いて光ケーブルを引張り上げて、作業員Ｃ、Ｄが終点1bまでの各電柱3a、3b、3c、3d、3e、3f、3gおよび電柱3a、3b、3c、3d、3e、3f、3g間に設置された金車29a,29bを操作棒３５等にて取り外していく。
【００１５】
その後、図２（ｄ）に示すように、配線区間１の始点1aにて作業員Ｂが張線器（図示せず）を用いて光ケーブル９を引張り、作業員Ｃ、Ｄが各中間電柱3b、3c、3d、3e、3fに昇り各電柱3a、3b、3c、3d、3e、3f、3g間の光ケーブル９の弛度を確認し、再度作業員Ｂがすべての中間電柱3b、3c、3d、3e、3fに高所作業車１０を移動、設置して、配線区間１の終点1bから始点1aに向かって光ケーブル９を固定していく。そして最後に、作業員Ｂが始点1aとなる電柱3aに光ケーブル９を固定し、作業が終了する。
【００１６】
以上のような従来の方法では、ケーブルドラム２５の回転調整を含む光ケーブル９の繰り出しのみを行う作業員が必要であり、また、牽引ロープ３１および金車29a,29bの取り付けおよび取り外しの作業が必要であった。また、光ケーブル９の弛度を調整するために光ケーブル９を引張る際、配線区間１の始点1aから終点1bまでの光ケーブル９をまとめて引張るため、光ケーブル９の長さに応じた大きな張力が必要となる。さらに、固定器具３７の取り付け、光ケーブル９の固定、光ケーブル９の引張り作業のために、高所作業車１０とともに作業員が配線区間１を何度も往復する必要があった。
【００１７】
以下に、本発明の一実施形態である架空光ケーブル布設方法について例示説明する。
図１（ａ）に示すように、配線区間１には、配線経路に沿って複数本の電柱3a、3b、3c、3d、3e、3f、3gが所定の間隔で設置されている。配線区間１に設置される電柱の本数および電柱間の距離は、特に限定されるものではなく、任意に定めることが可能である。なお、本実施形態で使用される光ケーブルは、外被の内側に複数の光ファイバ心線および支持線部を有する光ファイバケーブルとすることができるが、これに限定されず、本発明においては種々の光ケーブルを使用することができる。
【００１８】
図１（ａ）に示すように、本実施形態の架空光ケーブル布設方法は、先ず、台車５に搭載したケーブルドラム７から繰り出した光ケーブル９の先端部9aを、作業員Ｂが高所作業車１０上で、第１固定器具１１を用いて、配線区間１の始点1aとなる電柱3aに固定する。ここで台車５は、ケーブルドラム７を搭載することが可能であれば特に構造は限定されないが、悪路や坂道にも対応可能に設計されることが望ましい。さらに、台車５は、ケーブルドラムの空転防止機能、ケーブルの撓み止め機能、ストッパー機能、およびケーブルの繰り出し機構等を備えることで、より安全な作業が可能となる。
【００１９】
次いで、作業員Ａがケーブルドラム７から光ケーブル９を繰り出しながら、台車５を配線区間１の始点1aから終点1bに向かって配線経路に沿って移動させ、配線区間１の始点1aとなる電柱3aの次の電柱（中間電柱）3bまで移動した後、作業員Ｂが、手作業または張線器を使用して光ケーブル９を所定の張力で引張り、中間電柱用の第２固定器具１２を用いて電柱3bに固定する。
【００２０】
さらに、作業員Ａがケーブルドラム７を移動させながら光ケーブル９を次の電柱3cまで繰り出す。そして、作業員Ｂが、光ケーブル９を所定の張力で引張り、弛度を調整しながら第２固定器具１２を用いて電柱3cに固定する。これを繰り返すことで、配線区間１の終点1bとなる電柱3gまで光ケーブル９を架空布設する。そして最後に、図１（ｂ）に示すように、配線区間１の終点1bとなる電柱3gに、作業員Ｂが第１固定器具１１を用いて光ケーブル９を固定し、作業が終了する。
【００２１】
ここで、配線区間１の始点1aとなる電柱3aに固定する第１固定器具１１には、中間電柱3bで光ケーブル９を引張る際の張力が働くため、当該張力に耐えることが要求される。このとき第１固定器具１１に求められる許容張力Ｔa（N）は、光ケーブル９内の支持線部の最大許容張力をＴmax（N）、安全係数をαとすると、次式（１）によって求められる。
【００２２】
【数１】
0005619860.tif 000002
【００２３】
なお、施工時の省力化を図る観点から、上記所定の張力が小さければ、張線能力の小さい張線器を使用するか、または、作業員の手作業による張線が可能となる。
【００２４】
また光ケーブル９に働く張力Ｔb（N）は、光ケーブル９の単位長さ当りの重量をＷ（N/m）、弛度をｄ（m)、電柱間の距離をＳ（m）とすると、次式（２）によって求められる。
【００２５】
【数２】
0005619860.tif 000003
【００２６】
例えば、８心の架空光ファイバケーブル（Ｗ＝0.686Ｎ/m）を、電柱間（Ｓ＝30m）に、弛度（ｄ＝0.5m）を保って布設する場合には、上式（２）で求められる張力Ｔｂの値は154N以上となる。この場合、張線器を用いずに作業員が手作業で引張ることも可能である。
【００２７】
また、光ケーブル９をある中間電柱に固定してから、次の電柱に固定するまでの間、第２固定器具１２には、一時的に一方向のみの光ケーブル９の張力が働くため、第２固定器具１２は、当該張力に耐えることが求められる。したがって、中間電柱3b、3c、3d、3e、3fの第２固定器具１２に求められる許容張力Ｔc（kN）は、次式（３）によって求められる。
【００２８】
【数３】
0005619860.tif 000004
【００２９】
第１固定器具１１および第２固定器具１２は、上式（１）〜（３）で与えられる張力を許容するものであれば特に限定されるものではなく、様々な構造の固定器具を用いることができる。配線区間１の始点1aおよび終点1bで使用される第１固定器具１１としては、例えば、一般的に使用されるＣ型差込引留金物を使用することができる。この場合、光ケーブル９の支持線部を切断し外被を剥き出した後に、Ｃ型差込引留金物を取り付けることで固定する。また、上式（１）に示した許容張力を満たし、光ケーブル支持線部の外被を剥かずに取り付け可能な固定器具を用いることで、固定作業の更なる効率化が可能となる。
【００３０】
以上のような本実施形態の架空光ケーブル布設方法によれば、配線区間１の始点1aとなる電柱3aに、ケーブルドラム７から延びる光ケーブル９の先端部9aを固定し、配線区間１の始点1aから終点1bに向かう配線経路に沿ってケーブルドラム７を台車５で移動させながら光ケーブル９を繰り出し、配線経路に沿って電柱ごとに光ケーブルを固定することで、光ケーブル９の繰り出しおよび牽引を一人の作業員で行う事が可能になり、作業人数を低減することができる。また、光ケーブル９の弛度調整および固定を一人で行うことが可能になり、さらに作業人数を低減する事ができる。
【００３１】
また、本実施形態の架空光ケーブル布設方法によれば、光ケーブル９の架空布設を配線区間１の始点1aから終点1bに向かって、配線経路に沿った一方向移動の作業のみで行うことができ、固定器具11,12の取り付けや光ケーブル９の固定などで配線区間１を往復して作業していた従来の方法と比較して、作業時間をさらに短縮することができる。
【００３２】
また、配線区間１の始点1aとなる電柱3aに光ケーブル９の先端部9aを固定した後、所定の張力で光ケーブル９を引張り、弛度を調整しながら、光ケーブル９を電柱ごとに固定することで、電柱間の光ケーブル９の垂れ下がりを考慮する必要が無くなるため、金車の取り付けおよび取り外しの作業が不要となり、また牽引ロープも不要となるため、さらに作業人数を低減し作業時間を短縮することができる。また、配線区間１の始点1aから終点1bまで牽引した光ケーブル９をまとめて引張る従来の方法と比べて、必要な張力が小さくなり、張線能力の小さい張線器を使用するなど、施工時の省力化を図ることができる。
【００３３】
さらに、使用する光ケーブル９を少心、短尺とすることで、より張線能力が小さい張線器での作業が可能となる。したがって、本発明の架空光ケーブル布設方法は、需要密度が小さく、少心、短尺の光ケーブルの使用が想定される農山村地域（ルーラルエリア）において、特に有効である。なお、短尺の光ケーブルを用いる場合には、接続数が増えることで光損失が増加する虞があるが、工場付けのコネクタを用いることにより光損失の増加を抑制することができる。
【００３４】
本発明を諸図面や実施例に基づき説明してきたが、当業者であれば本開示に基づき種々
の変形や修正を行うことが容易であることに注意されたい。従って、これらの変形や修正
は本発明の範囲に含まれることに留意されたい。例えば、各部材、各ステップなどに含まれる機能などは論理的に矛盾しないように再配置可能であり、複数の構成部やステップなどを１つに組み合わせたり、或いは分割したりすることが可能である。
【符号の説明】
【００３５】
１  配線区間
3a、3b、3c、3d、3e、3f、3g  電柱
５  台車
７  ケーブルドラム
９  ケーブル
１０  高所作業車
１１  第１固定器具
１２  第２固定器具
【図１】
0005619860.tif 000005
【図２】
0005619860.tif 000006
【図３】
0005619860.tif 000007